(57)【要約】  化学的、生物学的、および有毒な産業汚染物質および残留物に曝露された表面の浄化、消毒、および再生のために設計された、改良型化学製剤について記載する。この製剤は、有効性スペクトルを拡大し、処理時間を減少させ、化学特性を修正することによって、より少ない有効量を可能とし、それによって修正される化学薬剤のリストを広げることにより、従来技術を改善する。本明細書に記載される製剤はまた、浄化目的（洗浄、滅菌、消毒、高レベル消毒、カビ修復、菌膜修復、標的化浄化）を達成するために異なる濃度で適用され得る。【選択図】図１
2020524201.tif 000002
【特許請求の範囲】
【請求項１】
下記の混合物：
パートＡ：
前記混合物の約０．１〜４．００％の範囲において、ＢＴＣ  ８８８（有効成分  ８０％）３２％（４０％  Ｃ１２、５０％  Ｃ１４、１０％  Ｃ１６）＋４８％のＤＡＤＭＡＣ、
前記混合物の約０．０５〜２．００％の範囲において、Ａｄｏｇｅｎ  ４７７Ｄ（有効成分  ５０％）、
前記混合物の約０．４〜１．６０％の範囲において、グリコールエーテルＤＢ、
前記混合物の約０．０２５〜１．００％の範囲において、イソブタノール、
前記混合物の約０．５〜２０．００％の範囲において、プロピレングリコール、
前記混合物の約０．０２〜０．８０％の範囲において、ラウリルアルコール、
前記混合物の約０．３〜１２．００％の範囲において、炭酸水素カリウムＵＳＰ  無水、
前記混合物の約０．０４２５〜１．７０％の範囲において、水酸化カリウム、および、
前記混合物の約５６．９０〜９８．５６％の範囲において、水、
パートＢ：
前記混合物の約０．２〜８．００％の範囲において、過酸化水素、
前記混合物の約９９．８〜８５％の範囲において、不活性化および安定化剤および水、ならびに
パートＣ：
前記混合物の約０．０５〜２．００％の範囲において、漂白促進剤、を含む、改良型化学製剤。
【請求項２】
前記混合物が、４９ｇのパートＡ、４９ｇのパートＢ、および２ｇのパートＣにしたがってパートＡ、パートＢおよびパートＣの比を含む、請求項１に記載の製剤。
【請求項３】
前記混合物が、５０ｇのパートＡおよび５０ｇのパートＢにしたがってパートＡおよびパートＢの比を含む、請求項１に記載の製剤。
【請求項４】
浄化製剤が、パートＡ、パートＢ、およびパートＣの混合物を含み、
パートＡが：
ベンジル−Ｃ１２−Ｃ１６  アルキルジメチルアンモニウムクロリド（Ｖａｒｉｑｕａｔ  ８０ＭＣ）；
Ｎ，Ｎ，Ｎ，Ｎ’，Ｎ’−ペンタメチル−Ｎ’タローアルキル−トリメチレンジ−，クロリド（Ａｄｏｇｅｎ  ４７７）；
ＰＥＧ  ８０００または同等物（すなわち、Ｊａｇｕａｒ  ８０００）；
ジエチレングリコールモノブチルエーテル；
ラウリルアルコール；
イソブタノール；
炭酸水素カリウム／炭酸カリウム；
プロピレングリコール；および
脱イオン水；を含み、
パートＢが：
過酸化水素；および
脱イオン水；を含み、ならびに
パートＣが：
グリセロールジアセテート（ジアセチン）；を含み、
前記混合物が、４９ｇのパートＡ、４９ｇのパートＢ、および２ｇのパートＣの比を含む、浄化製剤。
【請求項５】
浄化製剤が、パートＡおよびパートＢの混合物を含み、
パートＡが：
ベンジル−Ｃ１２−Ｃ１６  アルキルジメチルアンモニウムクロリド（Ｖａｒｉｑｕａｔ  ８０ＭＣ）；
Ｎ，Ｎ，Ｎ，Ｎ’，Ｎ’−ペンタメチル−Ｎ’タローアルキル−トリメチレンジ−，クロリド（Ａｄｏｇｅｎ  ４７７）；
ＰＥＧ  ８０００または同等物（すなわち、Ｊａｇｕａｒ  ８０００）；
ジエチレングリコールモノブチルエーテル；
ラウリルアルコール；
イソブタノール；
炭酸水素カリウム／炭酸カリウム；
プロピレングリコール；および
脱イオン水；を含み、
パートＢが：
過酸化水素；および
脱イオン水；を含み、ならびに
前記混合物が、５０ｇのパートＡおよび５０ｇのパートＢの比を含む、浄化製剤。
【発明の詳細な説明】
【技術分野】
【０００１】
関連出願の相互参照
本ＰＣＴ国際特許出願は、本明細書において参照によりその開示全体が援用される、２０１７年６月１５日に出願された米国仮特許出願第６２／５２０，３７２号の優先権を主張する。本出願は、以下の米国仮出願に対する優先権をさらに主張する：２０１８年１月１７日に出願され、本明細書においてその開示全体が援用される、連続番号第６２／６１８，０９５号；連続番号第６２／６１８，０９６号；連続番号第６２／６１８，０９８号；連続番号第６２／６１８，１００号；および連続番号第６２／６１８，１０４号。
【背景技術】
【０００２】
産業用洗浄溶液は浄化材として従来入手可能である。しかしながら、材料が付着する表面のタイプによって、浄化製剤の有効性は変化する。また、溶液が材料と反応するために必要な時間の長さも同様に重要であり得る。したがって、様々な浄化目的を達成できる溶液の新たな組み合わせに対するニーズがある。
【発明の概要】
【０００３】
本発明の実施形態は、化学的、生物学的、および有毒な産業汚染物質および残留物に曝露された表面の浄化、消毒、および再生のために設計された、改良型化学製剤について記載する。この製剤は、有効性スペクトルを拡大し、処理時間を減少させ、化学特性を修正することによって、より少ない有効量を可能とし、それによって修正される化学薬剤のリストを広げることにより、従来技術を改善する。本明細書に記載される製剤はまた、浄化目的（洗浄、滅菌、消毒、高レベル消毒、カビ修復、菌膜修復、標的化浄化）を達成するために異なる濃度で適用され得る。
【０００４】
そのため、本発明の一実施形態は、より広い有効性スペクトルを有する改良型製剤を提供する。別の実施形態では、化学製剤は、戦術的必要性に応じて調節することができる改良型製剤を提供する。さらなる実施形態は、残留消毒剤が作用する改良型製剤を提供する。代替的実施形態は、菌膜の特定の処理のための改良型製剤を提供する。さらに、別の実施形態は、病原性胞子の消毒のための改良型製剤を提供する。追加的な実施形態は、改善された表面被覆のための静電スプレー技術を使用した消毒／浄化有効性の適用を可能にする改良型製剤が提供される。別の態様では、本発明の実施形態は、殺菌性および浄化活性が向上した、より少ない表面用量を可能にする改良型製剤を提供する。
【図面の簡単な説明】
【０００５】
【図１】図１は、本発明の一実施形態による本発明の様々な使用を表す図を示す。
【発明を実施するための形態】
【０００６】
本発明の実施形態は、化学的、生物学的、および有毒な産業汚染物質および残留物に曝露された表面の浄化、消毒、および再生のために設計された、改良型化学製剤について記載する。この製剤は、有効性スペクトルを拡大し、処理時間を減少させ、化学特性を修正することによって、より少ない有効量を可能とし、それによって修正される化学薬剤のリストを広げることにより、従来技術を改善する。本明細書に記載される製剤はまた、浄化目的（洗浄、滅菌、消毒、高レベル消毒、カビ修復、菌膜修復、標的化浄化）を達成するために異なる濃度で適用され得る。
【０００７】
特定のタスクを実施するよう設計された漸増的変形をさらに目的とし、それがこの試みの意図である。一実施形態では、本発明の態様は、第１世代バージョンの第四級アミン（ＡＤＢＡＣ）で製剤化され得る。一実施例では、第四級アミンの種類を広げることが、より広範囲の病原体に対する有効性及び菌膜に対する有効性の両方におけるベネフィットをもたらすことが示される。これらの二つにおいて、菌膜の有効性は、目立った価値提案である可能性が高い。
【０００８】
第四世代の関係性を考慮すると、次の比較が関連する。
【０００９】
一実施形態では、本発明の態様は、第５世代の第四級アミンに焦点を当てる。このカテゴリーは、第１世代と第４世代の混合物である。第４世代の変形とともに異なる第１世代の変更を考慮するとき、この革新のオプションは急速に拡大するだろう。表１は、最も入手しやすいオプションの一部を含む：
【表１】
2020524201.tif 000003
【００１０】
一実施形態では、以下の表２は、例示的な結果を達成する化学製剤を示す：
【表２】
2020524201.tif 000004
【００１１】
一実施形態では、製剤は、以下の比で上記のパートを混合する：４９ｇのパートＡ、４９ｇのパートＢ、および２ｇのパートＣ。２つのパートの製剤のための別の代替的な混合において、混合の一実施形態は、５０ｇのパートＡおよび５０ｇのパートＢを含む。
【００１２】
本発明のこの実施形態は、一例において、標的化薬剤を可溶化し、菌膜保護構造の分解を促進し、病原性生物に対し殺菌効力を送達するそれ自体の能力における、界面活性剤の効力に関する異なる生理化学特性を有し得る。このバージョンの有効性プロファイルもまた異なり得る。有効性プロファイルの展開は、おそらく最終製品の１〜１００希釈などの希釈バージョンから最大濃度バージョンまでであるべきである。希釈バージョンは、すでに清潔で菌膜が存在しない表面について検討される可能性がある。一実施形態では、濃縮バージョンは、酷い汚れが蔓延している環境（生物動物施設、処理工場、菌膜が潜在的に多い場所など）に対して検討され得る。異なる希釈（細菌、菌膜、噴霧有効性）のための本発明の様々な実施形態は、図１に開示されるものに加えて、様々なレベルの適用を可能にし得る。
【００１３】
別の実施形態では、表３における製剤は以下を含み得る：
【表３】
2020524201.tif 000005
【００１４】
一実施形態では、製剤は、以下の比で上記のパートを混合する：４９ｇのパートＡ、４９ｇのパートＢ、および２ｇのパートＣ。２つのパートの製剤のための別の代替的な混合において、混合の一実施形態は、５０ｇのパートＡおよび５０ｇのパートＢを含む。
【００１５】
従来技術におけるこれらの改善により、食品接触および公衆衛生環境で遭遇する神経を使うべき清掃および消毒場面に対処することができる全面的な製品検討が可能になる。そのような状況では、製品は、通常はスプレーおよび拭き取り式として標的表面に適用することができ、洗浄／消毒／浄化製剤を表面全体に分配することができる。一実施形態では、本発明の態様は、使用前に規制当局からの承認を受ける必要があり得る。この場合、これは一般に「洗い流さない」製品として知られる。このタイプの使用に許容される表示成分には法定制限がある。このタイプの使用を可能とすることが、この改善の具体化された意図である。本製品の最大濃度バージョンは、顕著な酷い汚れが予期される動物舎などの非常に損なわれた環境での使用が意図される。これは、製品スペクトルの他の端を表します。農薬の実施形態に関してまた、規制上の監視が必要とされる。強度が調節された製品がニーズに応えるこれら二つの極端の間に多くの状況があることが予想される。このような状況の例は、上記スペクトルに示される。
【００１６】
一実施例において、実験室での検査は、ベーコングリースのような一般的に遭遇する汚れの典型例に対処する能力について評価された上述の製剤の代表的な試料を示す。対照実験では、ベーコングリースのアリコートを、上述を使用して１７６秒で、機械的インパルスを用いずに処理した。
【００１７】
改良型変形は、１５６秒で、同じアリコートのベーコングリースを処理して除去したが、これは１０％の改善であった。ベーコングリースの対象と改良型製剤との間の界面張力の測定された低減が、改善された界面活性効力を証明している。ベーコングリースのような非極性標的と浄化剤との間の界面張力の低減は、処方最適化に使用される重要な指標の一つである。この改善は、重要な業務上の利益となる。試験され、試験結果に示されるように、本発明の実施形態は、１０分、５分および２分の試験条件での標的材料上の混合物の処理時間または曝露時間における利点および優越性を提供する。
【００１８】
菌膜伝染に対する有効性の強化は、別の実験室での試験でも測定された。菌膜は、その保護収容体（ｐｒｏｔｅｃｔｉｖｅ  ｅｎｃａｓｅｍｅｎｔ）によって処理することがより困難である。この保護収容体はその性質において疎水性であり、下に収容されている保護された細菌まで貫通するような、よりアグレッシブな処理が要求される。一つの変形がある程度菌膜効力が改善されたが、追加データのそのような結論をサポートする試験データを有する。より希釈されたバージョンの製剤が膜を処理することができ、このようにユーザーに重要な価値提案を呈示することができた。
【００１９】
小さな処方の修正が、物体と洗浄剤との間の界面張力の顕著な、測定可能かつ効果的な低減をもたらすことができることが当業者にとって明らかである。この製剤は、無数の表面および標的に適合するように調整および設計することができる。
【００２０】
前述の説明および図面は単に本発明を説明および図示するものであり、本発明はそれに限定されない。本明細書は特定の実施または実施形態に関連して記載されているが、例示の目的で多くの詳細が記載されている。したがって、前述は本発明の原理はただ説明するものに過ぎない。例えば、本発明は、その精神または本質的な特徴から逸脱することなく、その他の特定の形態を有し得る。記載された配置は、例示的であり、限定するものではない。当業者には、本発明は追加的実施または実施形態の影響を受けやすく、本明細書で説明したこれらの詳細の一部は、本発明の基本原理から逸脱することなく、大幅に変化し得る。従って、当業者は、本明細書で明示的に説明していない、または示されていないが、本発明の原理を具体化したものであり、そのためその範囲および精神内において様々な配置を考案できることが理解するであろう。
【００２１】
上記に様々な実施形態が記載されてきたが、このような開示は例としてのみ提示されており、限定されないことが理解されるべきである。従って、対象組成物および方法の幅および範囲は、上述の例示的な実施形態のいずれかによって限定されるべきではないが、以下の請求項およびその均等物に従ってのみ定義されるべきである。
【００２２】
ここで対象組成物および方法を完全に説明した後では、当業者であれば、それらの範囲またはその任意の実施形態に影響を与えずに、広範かつ同等の条件、処方およびその他のパラメーター内で実施することができることが理解されるであろう。引用されたすべての特許、特許出願および出版物は、その全体が参照により全体が組み込まれる。
【図１】
2020524201.tif 000006
【国際調査報告】
2020524201.tif 000007